(57)【要約】      （修正有）【課題】地球資源を節約し、地球に害を及ぼす伝統的な尿バッグの廃棄物を断絶し、繰り返し使用する場合でもコストゼロで排尿でき、地球に対する負担を和らげ、道の途中での尿を我慢する苦しみから解放してくれる尿器の受尿口を提供する。【解決手段】本尿器の受尿口において、受尿口の上部は人体工学に符合する開放端とし、前記開放端は尿液の入口であり、その正逆方向が丁度男女の陰部を適当に覆い、前記受尿口の下部には内側にねじ山のあるガイド孔を形成し、ペットボトルの回転接合口とする前記ガイド孔は空のペットボトルを下方向から上方向へ密着状態に閉めて尿液を溜めさせるものである。また、開放端とガイド孔の間には流体力学に符合する中空型体を連接し、地球環境にやさしい尿器の受尿口を構成する。この受尿口によって、人は簡易にペットボトルを尿器に変化させて、空のペットボトルを繰り返し使用することができる。【選択図】図１
0003165377.tif 000002
【実用新案登録請求の範囲】
【請求項１】
受尿口は中空型体をなし、前記中空型体の一端は口の直径が比較的大きい開放端とし、他の一端は口の直径の比較的小さいガイド孔とし、前記ガイド孔の内側には内ねじ山を備え、前記内ねじ山は現在のペットボトルの口に併せた通用のねじ山規格とすることを特徴とする尿器の受尿口。
【請求項２】
前記開放端を側面から見ると傾斜度のある曲面をなし、この箇所の形状は男女の陰部周囲の外形に近いものとすることを特徴とする請求項１記載の尿器の受尿口。
【考案の詳細な説明】
【技術分野】
【０００１】
本考案は地球環境保護概念のある尿器の受尿口に関し、特に、地球において元々捨てさられるべき空のペットボトルをリサイクルして安全で地球環境にやさしい尿器に変化したものであり、本考案は地球資源を節約し、地球に害を及ぼす伝統的な尿バッグの廃棄物を断絶し、繰り返し使用する場合でもコストゼロで排尿でき、地球に対する負担を和らげ、道の途中での尿を我慢する苦しみから解放してくれる尿器の受尿口である。    
【背景技術】
【０００２】
すぐにトイレへ行くのが不便であるが催した尿意をすぐに解決しなければならないのは人が常に陥る苦境である。この問題を解決するために、現在、病院には使い勝手の悪く洗浄し難いツボ型の尿器が備えられている。また、一回の使用にNTD２５元前後の費用を要する使い捨てタイプの車用の尿バッグはプラスチック類廃棄物を発生させるものであり、一般的に前記二種類を使用する者は少数である。    
【考案の概要】
【考案が解決しようとする課題】
【０００３】
病院に設置してあるツボ型の尿器は気持ちが悪く洗い難い。患者が数歩歩く機能を単に代替するだけである。車用の尿バッグは使い捨てでコストが高く、汚染性も高く地球環境を考える製品ではないため、世間一般の受け入れ度は低く、多くの人は道の途中で尿を我慢し知らぬ間に自分の泌尿器系の健康を害してしまっている。現在に至るまで、繰り返し使用でき、コストゼロ、汚染ゼロ、資源を無駄にせずに安全で便利な携帯用排尿装置は出現していないのが現実である。
【課題を解決するための手段】
【０００４】
本考案の目的は、簡単に元々廃棄処分するはずの空のペットボトルを環境保護概念のある尿器に変化させ、ベットの上であっても道の途中であっても広範に使用できるのと同時に繰り返し使用することができ、その際はコストゼロ、汚染ゼロ、資源を無駄にせずに安全で便利な地球を守る効果を発揮する受尿口を設計することにある。
【０００５】
本考案の手段は、地球を守るコンセプトから出発し設計した受尿口によって、一般に道の途中で簡単に手に入れることのできるペットボトルの空き瓶を非常に便利に地球環境にやさしい尿器に変化させるものである。地球環境にやさしい本尿器の受尿口の考案は、リサイクル時のコストゼロ、汚染ゼロ、資源の無駄がなく、安全で便利な環境保護効果を有する他、経済的な実用化且つ普及化によってトイレの往復時間及びガソリン代を節約し、更にエネルギー資源の節約と炭素減少の二重効果を発揮する。
【０００６】
前述の目的を達成するため、本考案の提供する地球環境にやさしい尿器の受尿口において、受尿口本体は流体力学に符合する中空型体で、前記中空型体の一端は口の直径が比較的大きい開放端とし、他の一端は口の直径は比較的小さく口内には内ねじ山を備えるガイド孔を設ける。前記開放端の形状は人体工学に符合し快適に男女の陰部を覆うもので、前記ガイド孔は空のペットボトルを下方向から上方向へ密着に閉めて尿液を溜めさせるものである。これによって廃棄物であるペットボトルを非常に便利に使用できる地球環境にやさしい尿器に変化する。
【０００７】
更に、本考案は中空型体のガイド孔に近い外壁箇所に予備の袋取り付け窪み溝と輪ゴム引き掛け棒とを形成する。これはペットボトルが見つからなかった場合に事前に用意しておいた傘の雨水受け用袋の半分と輪ゴムをペットボトルの尿溜め機能に代替させるものであるが、実際にはペットボトルが見つからないという状況は非常に少ない。
【０００８】
本尿器の受尿口によって形成される地球環境にやさしい尿器を実際に使用する場合は、小さい椅子（或いは石）で臀部の一部を適当に支え、男性の場合は臀部の前方陰部を空中に浮かせ、女性の場合は臀部の片側５分の３を空中に浮かせ、その後、片方の手で尿器を持って陰部を覆い排尿を尿器に入れる。必要な場合は上着の袖を腰後方で結んで短時間の排尿動作を隠すこともできる。排泄した尿を尿器に入れた後、尿器の受尿口を回転して取外し元のペットボトルに戻すと、安全な携帯と中の尿を捨てての便利な洗浄ができる。何度もリサイクル使用してきれいに洗えなくなった時は新しいペットボトルに取り替える必要がある。
【考案の効果】
【０００９】
本考案は、元々廃棄処分するはずの空のペットボトルを簡単に尿器に変化させたもので、コストゼロ、汚染ゼロ、資源を無駄にせずに安全で便利、地球環境にやさしい等の効果を有する尿器の受尿口である。
【図面の簡単な説明】
【００１０】
【図１】本考案の地球環境にやさしい尿器の受尿口に関する実施例の立体図である。
【図２】本考案の地球環境にやさしい尿器の受尿口に関する内ねじ山箇所の立体図である。
【図３】本考案の地球環境にやさしい尿器の受尿口に関する開放端の形状図である。
【図４】男性が本考案の尿器を持って使用する状態に関する実施例図である。
【図５】女性が本考案の尿器を持って使用する状態に関する実施例図である。
【考案を実施するための形態】
【００１１】
メーカー及び使用者による本明細書を閲読後の実施を可能とするために、下記に図面及び符合の説明を組み合わせて本考案の実施例についての更に詳細な説明を行う。
【実施例】
【００１２】
図１及び図２に本考案の地球環境にやさしい尿器の受尿口に関する実施例の立体図を、図３に上面図を示す。前記地球環境にやさしい尿器の受尿口Ａは一体成型した単一部材であり、前記受尿口Ａは流体力学に符合する中空型体で、前記中空型体の一端は口の直径が比較的大きい開放端１とし、他の一端は口の直径の比較的小さいガイド孔２とし、前記ガイド孔２の内側には内ねじ山２１を備え、前記内ねじ山２１は現在のペットボトルの口に併せた通用のねじ山規格とする。前記開放端１を側面から見ると傾斜度のある曲面を示し、この箇所の形状は人体工学に合わせて男女の陰部周囲の外形に近いものとする。
【００１３】
使用時には前記ガイド孔２は空のペットボトルを下方向から上方向へ内ねじ山２１を使って密着に閉める。男女の別に応じて、開放端は異なる方向にして男女の陰部を適当に覆い、尿液を受尿口Ａからペットボトルへと溜める。
【００１４】
受尿口Ａの材質は合金としてもよく、ペットボトルと同様の材質とすることも可能である。しかし、トイレの蓋の良質プラスチックを使用するなら、経済的、耐用性、快適性、水をかけての簡単洗浄、地球環境を守る効果を兼ね備えることができる。
【００１５】
図４及び図５に本考案の使用状態実施例図を示す。図４は男性が地球環境にやさしい尿器を持って使用する場合に関するもので、男性は直立姿勢または小さい椅子（または石）を使って臀部の一部を適当に支える方法を選び、臀部前方の陰部を空中に浮かせて便利に排尿することができる。図５は女性が地球環境にやさしい尿器を持って使用する場合に関するもので、女性はしゃがむか小さい椅子（または石）を使って臀部の一部を適当に支える方法を選び、臀部の片側５分の３を空中に浮かせて排尿を行う。男女に関わらず必要がある場合には、スカート、上着、傘、バスタオル等の物品で隠すことも可能である。排尿を実施した後には、受尿口を回して取外し元のペットボトルに戻し、受尿口を次の使用のために洗ってしまう。何度もリサイクル使用してきれいに洗えなくなった時は新しいペットボトルに取り替える必要がある。
【００１６】
また、本考案は受尿口Ａの中空型体のガイド孔２に近い外壁箇所に予備の袋取り付け窪み溝３と輪ゴム引き掛け棒４とを形成し、この箇所の構造は、一時的にペットボトルが見つからなかった場合に事前に用意しておいた傘の雨水受け用袋の半分、ビニール袋、及び輪ゴムをペットボトルの尿溜め機能に代替させるためのものである。使用する場合は、前記の被せる袋やビニール袋を受尿口Ａのガイド孔２の外壁に被覆した後、まず輪ゴムを輪ゴム引き掛け棒４に引き掛け、更に引っ張って袋取り付け窪み溝３の周囲を二周させて巻き付け、最後に再度、輪ゴム引き掛け棒４上に引き掛ける。後続する使用方法は前述した通りである。ただし、実際に応用する場合は、ペットボトルが一つも見つからないという状況は非常に少ないであろう。
【００１７】
前述は、単に本考案の実施例を解釈しただけであり、本考案のいかなる形式上にも制限を設けるものではない。よって、同様の考案精神の下で為された本考案に関する何れの修飾や変更も全て本考案の意図する保護範囲に含まれるものとする。      
【符号の説明】
【００１８】
Ａ      受尿口
１  開放端
２  ガイド孔
２１  内ねじ山
３  袋取り付け窪み溝
４  輪ゴム引き掛け棒
【図１】
0003165377.tif 000003
【図２】
0003165377.tif 000004
【図３】
0003165377.tif 000005
【図４】
0003165377.tif 000006
【図５】
0003165377.tif 000007
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
受尿口は中空型体をなし、前記中空型体の一端は口の直径が比較的大きい開放端とし、他の一端は口の直径の比較的小さいガイド孔とし、前記ガイド孔の内側には内ねじ山を備えることを特徴とする尿器の受尿口。
【請求項２】
前記開放端を側面から見ると傾斜度のある曲面をなすことを特徴とする請求項１記載の尿器の受尿口。